(57)【特許請求の範囲】
【請求項１】
ディジタルデータを記録する複数の非接触カードと、前記複数の非接触カードとの電磁結合により前記ディジタルデータを伝送して読み書きする読書装置とから構成される非接触カード読書システムであって、
前記読書装置は、前記複数の非接触カードとの電磁結合により電力の供給と前記ディジタルデータの伝送を行い、光信号により前記複数の非接触カードに対する前記ディジタルデータの読み出し及び／又は書き込みを指示する制御情報を送り、
前記複数の非接触カードは、光信号により前記制御情報を受け、前記制御情報を他の非接触カードに伝送するための光信号を送信し、前記制御情報に従って前記ディジタルデータの読み出し又は書き込みを実行し、電磁結合により前記ディジタルデータを伝送する、
ことを特徴とする非接触カード読書システム。
【請求項２】
ディジタルデータを記録する複数の非接触カードと、前記複数の非接触カードとの電磁結合により前記ディジタルデータを伝送して読み書きする読書装置とから構成される非接触カード読書システムであって、
前記読書装置は、
前記複数の非接触カードを並列収納して保持する保持手段と、
前記保持手段が保持する前記複数の非接触カードとの電磁結合により電力の供給と前記ディジタルデータの伝送を行う第１の電磁結合手段と、
前記保持手段が保持する前記複数の非接触カードのうちの１つとの間で光信号を送受信する第１の光通信手段とを備え、
前記複数の非接触カードは、
前記ディジタルデータを記録する記録手段と、
前記読書装置との電磁結合により電力の供給を受けると共に前記ディジタルデータを伝送する第２の電磁結合手段と、
光信号を送受信する第２の光通信手段と、
前記第２の光通信手段が受信した光信号に従って前記記録手段に対する前記ディジタルデータの読み書きを実行し、前記第２の電磁結合手段に前記ディジタルデータを伝送させる動作制御手段とを備え、
前記第２の光通信手段は、前記保持手段が前記複数の非接触カードを並列収納すると、隣接する非接触カードが備える前記第２の光通信手段又は前記読書装置が備える前記第１の光通信手段との間で光信号を送受信可能な位置に設置されている、
ことを特徴とする非接触カード読書システム。
【請求項３】
前記第１の光通信手段は、
光信号を受信することにより前記保持手段が保持する前記複数の非接触カードそれぞれに固有の特定情報を受け取る第１の受信手段と、
光信号を送信することにより前記保持手段が保持する前記複数の非接触カードに対して前記ディジタルデータの読み出し又は書き込みを指示する制御情報を送る第１の送信手段とを備え、
前記第２の光通信手段は、
前記保持手段が前記複数の非接触カードを並列収納した際、隣接する非接触カードが備える前記第２の光通信手段又は前記第１の受信手段に光信号を送信することにより前記特定情報を送る第２及び第３の送信手段と、
前記保持手段が前記複数の非接触カードを並列収納した際、隣接する非接触カードが備える前記第２の光通信手段又は前記第１の送信手段からの光信号を受信することにより前記特定情報を受ける第２及び第３の受信手段とを備える、
ことを特徴とする請求項２に記載の非接触カード読書システム。
【請求項４】
前記第２の送信手段と前記第２の受信手段は、前記複数の非接触カードにおける同一面に設置され、
前記第３の送信手段と前記第３の受信手段は、前記第２の送信手段と前記第２の受信手段とが設置される面の背面に設置される、
ことを特徴とする請求項３に記載の非接触カード読書システム。
【請求項５】
前記第１の送信手段が送る前記制御情報は、前記複数の非接触カードのうち、前記ディジタルデータの読み出し又は書き込みを行うものに固有の前記特定情報を含み、
前記動作制御手段は、前記第２の光通信手段が受信した前記制御情報が、当該非接触カードに固有の前記特定情報を含んでいるか否かを判別し、含んでいると判別すると、前記制御情報に従って、前記ディジタルデータの読み出し又は書き込みを実行する、
ことを特徴とする請求項３又は４に記載の非接触カード読書システム。
【請求項６】
非接触でディジタルデータを伝送して読み書き可能な非接触カードであって、
読書装置との電磁結合により電力の供給を受けると共に前記ディジタルデータを伝送する電磁結合手段と、
前記ディジタルデータを記録する記録手段と、
光信号を送受信して通信を行い、カード固有の特定情報を前記読書装置に送り、前記記録手段に対する前記ディジタルデータの読み出し又は書き込みを指示する制御情報を受け取る光通信手段と、
前記光通信手段が受け取った前記制御情報に従って、前記電磁結合手段に前記ディジタルデータを伝送させると共に、前記記録手段に対して前記ディジタルデータの読み出し又は書き込みを実行する動作制御手段とを備える、
ことを特徴とする非接触カード。
【請求項７】
前記光通信手段は、前記非接触カードを複数積畳した際、隣接する非接触カードが備える前記光通信手段と対向する位置に設置されている、
ことを特徴とする請求項６に記載の非接触カード。
【請求項８】
前記光通信手段は、
光信号を送信する第１の送信手段と、
前記第１の送信手段が設置される面の背面に設置され、光信号を受信する第１の受信手段と、
前記第１の受信手段と同じ面に設置され、光信号を送信する第２の送信手段と、
前記第２の送信手段が設置される面の背面に設置され、光信号を受信する第２の受信手段とを備え、
前記第１及び第２の送信手段と前記第１及び第２の受信手段は、カードの長辺をほぼ二分する位置に設置されている、
ことを特徴とする請求項６又は７に記載の非接触カード。
【請求項９】
ディジタルデータを記録するためのメモリを有するカードとの電磁結合により、前記ディジタルデータを伝送して前記メモリへの読み書きを実行する読書装置であって、
光信号を受信することにより前記カードに固有の特定情報を受け取り、光信号を送信することにより前記カードに対する前記ディジタルデータの読み出し又は書き込みを指示する制御情報を送り、電磁結合により、前記カードと非接触で前記ディジタルデータを伝送して前記ディジタルデータの読み書きを実行する、
ことを特徴とする読書装置。
【請求項１０】
複数の非接触カードを並列収納して保持する保持手段と、
前記複数の非接触カードとの電磁結合により電力の供給とディジタルデータの伝送を行う第１の電磁結合手段と、
前記保持手段が保持する前記複数の非接触カードのうちの１つとの間で光信号を送受信して通信を行う光通信手段とを備え、
前記光通信手段は、
光信号を受信することにより前記保持手段が保持する前記複数の非接触カードそれぞれに固有の特定情報を受け取る受信手段と、
光信号を送信することにより前記保持手段が保持する前記複数の非接触カードに対して前記ディジタルデータの読み出し又は書き込みを指示する制御情報を送る送信手段とを備える、
ことを特徴とする読書装置。
【請求項１１】
前記送信手段が送る前記制御情報は、前記複数の非接触カードのうち、前記ディジタルデータの読み出し又は書き込みを実行するものに固有の前記特定情報を含む、
ことを特徴とする請求項１０に記載の読書装置。
【請求項１２】
複数の非接触カードを並列収納して保持し、電磁結合により前記複数の非接触カードに電力を供給すると共にディジタルデータの伝送を行い、前記複数の非接触カードのうちの１つとの間で光信号を送受信して前記複数の非接触カードに対して前記ディジタルデータの読み出し又は書き込みを指示する制御情報を送る、
ことを特徴とする非接触カード読書方法。
【請求項１３】
前記複数の非接触カード同士の間で光信号を送受信することにより前記制御情報の授受を行う、
ことを特徴とする請求項１２に記載の非接触カード読書方法。
【発明の詳細な説明】
【０００１】
【発明の属する技術分野】
この発明は、ディジタルデータを記録可能なカードに非接触でデータを読み書きする非接触カード読書システムに係り、特に、複数の非接触カードにデータを読み書きすることができる非接触カード読書システムに関する。
【０００２】
【従来の技術】
カードと読書装置との間の電磁結合により非接触でディジタルデータを伝送してカードに対して読み書きを行う非接触カード読書システムが知られている。このようなシステムでは、カードを読書装置の読取部に近づけると、読書装置が備えるコイルが形成する交番磁界によりカードと読書装置との間を電磁結合させて、カードへの電力の供給とディジタルデータの伝送を行う。これにより、カードが備えるメモリに記録されたディジタルデータを非接触で伝送して読み取ったり、カードが備えるメモリに非接触でディジタルデータを伝送して書き込んだりすることができる。
【０００３】
例えば、特開平７−１０４９４３号公報には、電磁結合により情報記録媒体とドライバとの間で情報を伝送する技術が開示されている。
【０００４】
また、特開平７−２７１９２８号公報には、電磁結合による非接触多数ビット並列転送方式を用いて高速にデータを転送する技術が開示されている。
【０００５】
【発明が解決しようとする課題】
しかし、上記特開平７−１０４９４３号公報や特開平７−２７１９２８号公報に開示されている技術では、１枚のカードに対してデータを読み書きするのみで、複数のカードを同時に読み書きすることはできなかった。
【０００６】
また、非接触カードが多量のデータを記録可能な場合、データの記録位置やデータを読み書きするタイミングを規定する必要がある。このため、読書装置と非接触カードとの間の電磁結合のみによりデータを送受信する非接触カード読書システムでは、回路の構成や伝送するデータの構造が複雑になるという問題があった。
【０００７】
この発明は、上記実状に鑑みてなされたものであり、複数のカードに対してデータを読み書きすることができる非接触カード読書システム、非接触カード、読書装置及び非接触カード読書方法を提供することを目的とする。
また、この発明は、多量のデータを容易に読み書きすることができる非接触カード読書システム、非接触カード、読書装置及び非接触カード読書方法を提供することを他の目的とする。
【０００８】
【課題を解決するための手段】
上記目的を達成するべく、この発明の第１の観点に係る非接触カード読書システムは、
ディジタルデータを記録する複数の非接触カードと、前記複数の非接触カードとの電磁結合により前記ディジタルデータを伝送して読み書きする読書装置とから構成されるものであって、
前記読書装置は、前記複数の非接触カードとの電磁結合により電力の供給と前記ディジタルデータの伝送を行い、光信号により前記複数の非接触カードに対する前記ディジタルデータの読み出し及び／又は書き込みを指示する制御情報を送り、
前記複数の非接触カードは、光信号により前記制御情報を受け、前記制御情報を他の非接触カードに伝送するための光信号を送信し、前記制御情報に従って前記ディジタルデータの読み出し又は書き込みを実行し、電磁結合により前記ディジタルデータを伝送する、
ことを特徴とする。
【０００９】
この発明によれば、読書装置は、複数の非接触カードとの電磁結合によりディジタルデータを伝送するほかに、光信号により非接触カードに対するディジタルデータの読み出し又は書き込みを指示する制御情報を送る。そして、非接触カードは、読書装置から送られた制御情報に従って、ディジタルデータの読み出しや書き込みを実行することができる。
これにより、多量のデータを読み書きする際にも、電磁結合により伝送するのはディジタルデータのみであることから、回路の構成や伝送するデータの構造が簡単となり、容易に多量のデータを読み書きすることができる。
また、非接触カードは、他の非接触カードに制御情報を伝送するための光信号を送信することから、複数の非接触カードに対してデータを読み書きすることができる。
【００１０】
また、この発明の第２の観点に係る非接触カード読書システムは、
ディジタルデータを記録する複数の非接触カードと、前記複数の非接触カードとの電磁結合により前記ディジタルデータを伝送して読み書きする読書装置とから構成されるものであって、
前記読書装置は、
前記複数の非接触カードを並列収納して保持する保持手段と、
前記保持手段が保持する前記複数の非接触カードとの電磁結合により電力の供給と前記ディジタルデータの伝送を行う第１の電磁結合手段と、
前記保持手段が保持する前記複数の非接触カードのうちの１つとの間で光信号を送受信する第１の電磁波送受信手段とを備え、
前記複数の非接触カードは、
前記ディジタルデータを記録する記録手段と、
前記読書装置との電磁結合により電力の供給を受けると共に前記ディジタルデータを伝送する第２の電磁結合手段と、
光信号を送受信する第２の光通信手段と、
前記第２の光通信手段が受信した光信号に従って前記記録手段に対する前記ディジタルデータの読み書きを実行し、前記第２の電磁結合手段に前記ディジタルデータを伝送させる動作制御手段とを備え、
前記第２の光通信手段は、前記保持手段が前記複数の非接触カードを並列収納すると、隣接する非接触カードが備える前記第２の光通信手段又は前記読書装置が備える前記第１の光通信手段との間で光信号を送受信可能な位置に設置されている、
ことを特徴とする。
【００１１】
この発明によれば、保持手段が複数の非接触カードを並列収納して保持して、第１及び第２の電磁波送受信手段により光信号を用いて非接触カードの動作制御手段にデータの読み書きを指示することができる。
これにより、複数の非接触カードに対して容易にデータを読み書きすることができる。
また、第１及び第２の電磁結合手段が伝送するのは、記録手段に対して読み書きするディジタルデータだけであり、制御情報等は光信号により伝送することから、容易に多量のデータを読み書きすることができる。
なお、並列収納には、トレーやスロットにセットして収納するような場合のみならず、非接触カードを積畳して収納するような場合も含まれる。
【００１２】
より詳細には、
前記第１の光通信手段は、
光信号を受信することにより前記保持手段が保持する前記複数の非接触カードそれぞれに固有の特定情報を受け取る第１の受信手段と、
光信号を送信することにより前記保持手段が保持する前記複数の非接触カードに対して前記ディジタルデータの読み出し又は書き込みを指示する制御情報を送る第１の送信手段とを備え、
前記第２の光通信手段は、
前記保持手段が前記複数の非接触カードを並列収納した際、隣接する非接触カードが備える前記第２の光通信手段又は前記第１の受信手段に光信号を送信することにより前記特定情報を送る第２及び第３の送信手段と、
前記保持手段が前記複数の非接触カードを並列収納した際、隣接する非接触カードが備える前記第２の光通信手段又は前記第１の送信手段からの光信号を受信することにより前記特定情報を受ける第２及び第３の受信手段とを備えることが望ましい。
これにより、保持手段が複数の非接触カードを並列収納して、光信号を送受信することにより非接触カードの動作を規定し、複数の非接触カードに対してデータの読み書きを実行することができると共に、大量のデータを容易に読み書きすることができる。
【００１３】
前記第２の送信手段と前記第２の受信手段は、前記複数の非接触カードにおける同一面に設置され、
前記第３の送信手段と前記第３の受信手段は、前記第２の送信手段と前記第２の受信手段とが設置される面の背面に設置されることが望ましい。
これにより、複数の非接触カードを積畳してディジタルデータの読み書きを実行することができる。
【００１４】
また、前記第１の送信手段が送る前記制御情報は、前記複数の非接触カードのうち、前記ディジタルデータの読み出し又は書き込みを行うものに固有の前記特定情報を含み、
前記動作制御手段は、前記第２の光通信手段が受信した前記制御情報が、当該非接触カードに固有の前記特定情報を含んでいるか否かを判別し、含んでいると判別すると、前記制御情報に従って、ディジタルデータの読み出し又は書き込みを実行することが望ましい。
これにより、複数の非接触カードのうち、ディジタルデータの読み出しと書き込みを行うものを指定することができ、複数の非接触カードへのより柔軟なディジタルデータの読み書きを実行することができる。
【００１５】
また、この発明の第３の観点に係る非接触カードは、
非接触でディジタルデータを伝送して読み書き可能なものであって、
読書装置との電磁結合により電力の供給を受けると共に前記ディジタルデータを伝送する電磁結合手段と、
前記ディジタルデータを記録する記録手段と、
光信号を送受信して通信を行い、カード固有の特定情報を前記読書装置に送り、前記記録手段に対する前記ディジタルデータの読み出し又は書き込みを指示する制御情報を受け取る光通信手段と、
前記光通信手段が受け取った前記制御情報に従って、前記電磁結合手段に前記ディジタルデータを伝送させると共に、前記記録手段に対して前記ディジタルデータの読み出し又は書き込みを実行する動作制御手段とを備える、
ことを特徴とする。
【００１６】
前記光通信手段は、前記非接触カードを複数積畳した際、隣接する非接触カードが備える前記光通信手段と対向する位置に設置されていてもよい。
【００１７】
前記光通信手段は、
光信号を送信する第１の送信手段と、
前記第１の送信手段が設置される面の背面に設置され、光信号を受信する第１の受信手段と、
前記第１の受信手段と同じ面に設置され、光信号を送信する第２の送信手段と、
前記第２の送信手段が設置される面の背面に設置され、光信号を受信する第２の受信手段とを備え、
前記第１及び第２の送信手段と前記第１及び第２の受信手段は、カードの長辺をほぼ二分する位置に設置されていてもよい。
【００１８】
また、この発明の第４の観点に係る読書装置は、
ディジタルデータを記録するためのメモリを有するカードとの電磁結合により、前記ディジタルデータを伝送して前記メモリへの読み書きを実行するものであって、
光信号を受信することにより前記カードに固有の特定情報を受け取り、光信号を送信することにより前記カードに対する前記ディジタルデータの読み出し又は書き込みを指示する制御情報を送り、電磁結合により、前記カードと非接触で前記ディジタルデータを伝送して前記ディジタルデータの読み書きを実行する、
ことを特徴とする。
【００１９】
また、この発明の第５の観点に係る読書装置は、
複数の非接触カードを並列収納して保持する保持手段と、
前記複数の非接触カードとの電磁結合により電力の供給とディジタルデータの伝送を行う第１の電磁結合手段と、
前記保持手段が保持する前記複数の非接触カードのうちの１つとの間で光信号を送受信して通信を行う光通信手段とを備え、
前記光通信手段は、
光信号を受信することにより前記保持手段が保持する前記複数の非接触カードそれぞれに固有の特定情報を受け取る受信手段と、
光信号を送信することにより前記保持手段が保持する前記複数の非接触カードに対して前記ディジタルデータの読み出し又は書き込みを指示する制御情報を送る送信手段とを備える、
ことを特徴とする。
なお、並列収納には、トレーやスロットにセットして収納するような場合のみならず、非接触カードを積畳して収納するような場合も含まれる。
【００２１】
前記送信手段が送る前記制御情報は、前記複数の非接触カードのうち、前記ディジタルデータの読み出し又は書き込みを実行するものに固有の前記特定情報を含むことが望ましい。
【００２２】
また、この発明の第６の観点に係る非接触カード読書方法は、
複数の非接触カードを並列収納して保持し、電磁結合により前記複数の非接触カードに電力を供給すると共にディジタルデータの伝送を行い、前記複数の非接触カードのうちの１つとの間で光信号を送受信して前記複数の非接触カードに対して前記ディジタルデータの読み出し又は書き込みを指示する制御情報を送る、
ことを特徴とする。
ここで、前記複数の非接触カード同士の間で光信号を送受信することにより前記制御情報の授受を行うことが望ましい。
なお、並列収納には、トレーやスロットにセットして収納するような場合のみならず、非接触カードを積畳して収納するような場合も含まれる。
【００２３】
【発明の実施の形態】
以下に、図面を参照して、この発明の実施の形態に係る非接触カード読書システムについて詳細に説明する。
【００２４】
図１は、この発明の実施の形態に係る非接触カード読書システムの構成を模式的に示す図である。
図示するように、この非接触カード読書システムは、信号処理装置１０と、複数の非接触カード１１と、読書装置１２と、リモコンＲＣとを備える。
【００２５】
信号処理装置１０は、パーソナルコンピュータ、オーディオ・ビジュアル機器等から構成され、読書装置１２が非接触カード１１に対して読み書きするデータの信号処理を実行して、映像・音声といったサービス・コンテンツの再生等を行うための装置である。
【００２６】
以下に、この非接触カード読書システムで使用される非接触カード１１について、図２を参照して説明する。図２に示すように、非接触カード１１は、アンテナコイル１０１と、電源回路１０２と、データ復調器１０３と、データ変調器１０４と、メモリ１０５と、制御回路１０６と、第１の発光素子１０７と、第２の発光素子１０８と、第１の受光素子１０９と、第２の受光素子１１０とを備える。
【００２７】
アンテナコイル１０１は、シート状の薄膜コイル等から構成され、読書装置１２との電磁結合により電力の供給を受けると共にディジタルデータを伝送するためのものである。
【００２８】
電源回路１０２は、スイッチングレギュレータ等から構成され、アンテナコイル１０１が受けた電力により所定の直流電圧を生成し、非接触カード１１の各部位に供給するための回路である。
【００２９】
データ復調器１０３は、アンテナコイル１０１がディジタルデータを伝送するために受信する被変調搬送波からディジタルデータを復調するためのものであり、復調したディジタルデータを制御回路１０６に送る。
【００３０】
データ変調器１０４は、所定の搬送波を制御回路１０６から受けたディジタルデータに応じて変調して被変調搬送波を生成するためのものであり、生成した被変調搬送波をアンテナコイル１０１に供給し、読書装置１２又は他の非接触カード１１にディジタルデータを伝送させる。
【００３１】
メモリ１０５は、半導体メモリチップ等から構成され、サービス・コンテンツとなる映像・音声等を示すディジタルデータや、非接触カード１１を識別するための識別情報等を記録するためのものである。
ここで、メモリ１０５が記録する識別情報は、各非接触カード１１に固有のＩＤコードの他、非接触カード１１のトラック数や記録データ量等の記録内容を示すインデックス情報を含んだ情報である。
【００３２】
制御回路１０６は、マイクロプロセッサ等から構成され、この非接触カード１１全体の動作を制御するためのものである。
【００３３】
発光素子１０７，１０８は、発光ダイオード、半導体レーザ等から構成され、制御回路１０６から受けた電気信号を光信号に変換するためのものであり、変換により生成した光信号を読書装置１２や他の非接触カード１１に送信する。これにより、発光素子１０７，１０８は、読書装置１２や他の非接触カード１１との間での光信号による通信を可能とする。
【００３４】
受光素子１０９，１１０は、フォトダイオード等から構成され、光信号を受信して電気信号に変換するためのものであり、変換により生成した電気信号を制御回路１０６に送る。
【００３５】
図３，４は、上記構成を有する非接触カード１１の各部位の配置を例示する図である。
図３（ａ）は、非接触カード１１の配置の一例を示す正面図であり、図３（ｂ）は、その背面図である。ここでは、非接触カード１１の短辺を軸にして表裏を反転させている。また、図４は、図３（ａ），（ｂ）に示す切断線ＡＡ’により非接触カード１１を切断した際の断面におけるアンテナコイル１０１，発光素子１０７，１０８及び受光素子１０９，１１０の配置を模式的に示す図である。
【００３６】
図３（ａ）に示すように、非接触カード１１の第１の発光素子１０７と第１の受光素子１０９は、非接触カード１１の正面において、非接触カード１１の長辺をほぼ二分する位置に、アンテナコイル１０１を挟んで配置される。また、図３（ｂ）に示すように、非接触カード１１の第２の発光素子１０８と第２の受光素子１１０は、非接触カード１１の背面において、非接触カード１１の長辺をほぼ二分する位置に、アンテナコイル１０１を挟んで配置される。
これにより、非接触カード１１の表裏及び長辺、短辺をあわせて積畳すると、第１の発光素子１０７は、隣接する非接触カード１１の第２の受光素子１１０と対向する。また、このとき、第１の受光素子１０９は、隣接する非接触カード１１の第２の発光素子１０８と対向する。
従って、非接触カード１１は、読書装置１２のカード保持部１２６に並列収納されると、発光素子１０７，１０８及び受光素子１０９，１１０により、隣接する非接触カード１１との間で、光信号を送受信して通信することができる。
【００３７】
また、発光素子１０７，１０８及び受光素子１０９，１１０がこのように配置された非接触カード１１は、長辺を軸に表裏反転させて積畳すると、発光素子１０７，１０８が、それぞれ隣接する非接触カード１１の受光素子１０９、１１０と対向する。また、このとき、受光素子１０９，１１０は、それぞれ隣接する非接触カード１１の発光素子１０７，１０８と対向する。
これにより、非接触カード１０は、読書装置１２のカード保持部１２６に長辺を軸に表裏反転させて収納させても、発光素子１０７，１０８及び受光素子１０９，１１０により、隣接する非接触カード１１との間で、光信号を送受信することができる。
【００３８】
次に、図１において、上記構成を有する非接触カード１１との電磁結合により電力を供給すると共にディジタルデータを伝送する読書装置１２について、図５を参照して説明する。
読書装置１２は、図５に示すように、アンテナコイル１１１と、パルス発生器１１２と、電力供給回路１１３と、データ復調器１１４と、デコーダ１１５と、ＤＡＣ（Ｄｉｇｉｔａｌ／Ａｎａｌｏｇ  Ｃｏｎｖｅｒｔｅｒ）１１６と、ＡＤＣ（Ａｎａｌｏｇ／Ｄｉｇｉｔａｌ  Ｃｏｎｖｅｒｔｅｒ）１１７と、エンコーダ１１８と、データ変調器１１９と、制御回路１２０と、発光素子１２１と、受光素子１２２と、操作キー１２３と、表示器１２４と、リモコン受光素子１２５と、カード保持器１２６と、ディジタル入力端子Ｄｉと、アナログ入力端子Ａｉと、ディジタル出力端子Ｄｏと、アナログ出力端子Ａｏとを備える。
【００３９】
アンテナコイル１１１は、磁界を形成し、非接触カード１１のアンテナコイル１０１との電磁結合により電力の供給とディジタルデータの伝送を行うためのものである。
【００４０】
パルス発生器１１２は、アンテナコイル１１１に磁界を形成させて非接触カード１１へ電力を供給させるためのパルス状の電圧を生成する装置である。
【００４１】
電力供給回路１１３は、スイッチングレギュレータ等から構成され、商用電源等の外部から取り込んだ電力を各部位に供給するため、電圧を規定する電源回路である。
【００４２】
データ復調器１１４は、アンテナコイル１１１がディジタルデータを伝送するために受信した被変調搬送波からディジタルデータを復調するためのものであり、復調したディジタルデータをデコーダ１１５に送る。
【００４３】
デコーダ１１５は、データ復調器１１４から受けたディジタルデータを復号するためのものであり、復号したディジタルデータをＳＰＤＩＦ（Ｓｏｎｙ／Ｐｈｉｌｉｐｓ  Ｄｉｇｉｔａｌ  Ｉｎｔｅｒｆａｃｅ），ＩＥＥＥ（Ｉｎｓｔｉｔｕｔｅ  ｏｆ  Ｅｌｅｃｔｒｉｃａｌ  ａｎｄ  Ｅｌｅｃｔｒｏｎｉｃｓ  Ｅｎｇｉｎｅｅｒｓ）１３９４等に準拠したディジタル信号としてディジタル出力端子Ｄｏから信号処理装置１０へ出力し、或いは、ＤＡＣ１１６に送る。
【００４４】
ＤＡＣ１１６は、デコーダ１１５が復号したディジタルデータをアナログ信号に変換するためのものであり、変換により生成したアナログ信号をアナログ出力端子Ａｏから信号処理装置１０へ出力する。
【００４５】
ＡＤＣ１１７は、アナログ入力端子Ａｉを介して信号処理装置１０から入力されたアナログ信号をディジタルデータに変換するためのものであり、変換により生成したディジタルデータをエンコーダ１１８に送る。
【００４６】
エンコーダ１１８は、ディジタル入力端子Ｄｉを介して信号処理装置１０から入力したディジタルデータ、或いは、ＡＤＣ１１７から受けたディジタルデータの圧縮や符号化を行うためのものであり、符号化したディジタルデータをデータ変調器１１９に送る。
【００４７】
データ変調器１１９は、発振回路、ミキサ等から構成され、エンコーダ１１８から受けたディジタルデータにより搬送波を変調するためのものであり、変調により生成した被変調搬送波をアンテナコイル１１１に供給してディジタルデータを伝送させる。
【００４８】
制御回路１２０は、マイクロプロセッサ等から構成され、この読書装置１２全体の動作を制御するためのものである。
【００４９】
発光素子１２１は、発光ダイオード、半導体レーザ等から構成され、制御回路１２０から受けた電気信号を光信号に変換するためのものであり、変換により生成した光信号を非接触カード１１へ送信する。
ここで、発光素子１２１は、カード保持器１２６が非接触カード１１を収納して保持すると、非接触カード１１の受光素子１０９又は１１０と対向して光信号を送信できる位置に設置される。
【００５０】
受光素子１２２は、フォトダイオード等から構成され、非接触カード１１から受けた光信号を電気信号に変換するためのものであり、変換により生成した電気信号を制御回路１２０に送る。
ここで、受光素子１２２は、カード保持器１２６が非接触カード１１を収納して保持すると、非接触カード１１の発光素子１０７又は１０８と対向して光信号を受信できる位置に設置される。
【００５１】
操作キー１２３は、キーパッド等から構成され、ユーザがこの読書装置１２に動作を指示する命令を入力するためのキー入力部である。
【００５２】
表示器１２４は、ＬＣＤ（Ｌｉｑｕｉｄ  Ｃｒｙｓｔａｌ  Ｄｉｓｐｌａｙ）等から構成され、制御回路１２０からの指示により、非接触カード１１のトラック数、記録データ量等の所定の情報を画面表示するためのものである。
【００５３】
リモコン受光素子１２５は、リモコンＲＣからの赤外線信号を受信して電気信号に変換するためのものであり、変換により生成した電気信号を制御回路１２０に送る。
【００５４】
カード保持器１２６は、複数の非接触カード１１を並列収納して保持するためのものであり、図６に例示するトレーＴＲや、図７に例示するスロットＳＬを備え、非接触カード１１を保持してデータの読み書きを可能とするためのものである。
ここで、非接触カード１１は、表裏反転して積畳しても光信号を送受信することができることから、カード保持部１２６は、図８に例示するような、非接触カード１１を積畳して収納するホルダーＨＯであってもよい。このようなホルダーＨＯを設けると、非接触カード１１の取扱が簡単となり、ユーザの使い勝手がよい。
【００５５】
以下に、この発明の実施の形態に係る非接触カード読書システムの動作を説明する。
この非接触カード読書システムは、読書装置１２が複数の非接触カード１１を並列収納し、光信号により非接触カード１１の読み書き動作を制御しつつ電磁結合によりディジタルデータを伝送して読み書きを実行することで、複数の非接触カード１１に対するディジタルデータの読み書きを可能とするシステムである。また、この非接触カード読書システムは、非接触カード１１の読み書き動作を制御する制御情報等を光信号により伝送することで、多量のディジタルデータを容易に読み書きすることができる装置である。
【００５６】
非接触カード１１は、各カードごとに固有のＩＤコードが割り当てられ、メモリ１０５に記録されている。
【００５７】
以下では、図９に示すように、ユーザが２枚の非接触カード１１ａ，１１ｂをカード保持部１２６にセットするものとして説明する。
また、以下では、非接触カード１１ａの各部位を示す符号には、非接触カード１１の各部位を示す符号の後に添字ａを付し、非接触カード１１ｂの各部位を示す符号には、非接触カード１１の各部位を示す符号の後に添字ｂを付して、非接触カード１１ａ，１１ｂの各部位を区別する。
【００５８】
非接触カード１１ａは、カード保持器１２６にセットされることにより、第２の受光素子１１０ａが読書装置１２の発光素子１２１と対向し、第２の発光素子１０８ａが読書装置１２の受光素子１２２と対向する。
また、非接触カード１１ａの第１の発光素子１０７ａは、非接触カード１１ｂの第２の受光素子１１０ｂと対向し、非接触カード１１ａの第１の受光素子１０９ａは、非接触カード１１ｂの第２の発光素子１０８ｂと対向する。
なお、この際、非接触カード１１ａ，１１ｂは、長辺を軸に表裏反転してカード保持器１２６にセットしてもよい。
【００５９】
読書装置１２の電力供給回路１１３は、読書装置１２の各部位に電力を供給し、電力供給回路１１３から電力の供給を受けたパルス発生器１１２は、パルス状の電圧を生成してアンテナコイル１１１に供給する。アンテナコイル１１１は、パルス発生器１１２から受けた電圧により、磁界を形成し、非接触カード１１ａ，１１ｂとの電磁結合により電力を供給する。
このようにして、非接触カード１１ａ，１１ｂに電力を供給すると、制御回路１２０は、発光素子１２１から光信号を送信し、非接触カード１１ａに識別情報の読み出しを要求する信号を送る。
【００６０】
非接触カード１１ａ，１１ｂのアンテナコイル１０１ａ，１０１ｂは、読書装置１２のアンテナコイル１１１が形成する磁界により電力の供給を受ける。
アンテナコイル１０１ａ，１０１ｂは、供給された電力をそれぞれ電源回路１０２ａ，１０２ｂに送る。
電源回路１０２ａ，１０２ｂは、それぞれアンテナコイル１０１ａ，１０１ｂから受けた電力により所定の直流電圧を生成して非接触カード１１ａ，１１ｂの各部位に供給する。
【００６１】
この後、非接触カード１１ａの第２の受光素子１１０ａは、読書装置１２の発光素子１２１から光信号を受けて電気信号に変換し、制御回路１０６ａに送る。
【００６２】
非接触カード１１ａの制御回路１０６ａは、第２の受光素子１１０ａから受けた電気信号が識別情報の読み出しを要求する信号であることから、第２の発光素子１０８ａに光信号を送信させて、メモリ１０５ａが記録する識別情報を読書装置１２の受光素子１２２に送る。この識別情報は、非接触カード１１ａに固有のＩＤコードの他、非接触カード１１ａのトラック数や記録データ量等の記録内容を示すインデックス情報を含んでいる。
また、制御回路１０６ａは、第１の発光素子１０７ａに光信号を送信させて、非接触カード１１ｂの第２の受光素子１１０ｂに識別情報の読み出しを要求する信号を送る。
【００６３】
読書装置１２は、制御回路１２０が受光素子１２２にて受光した光信号を検出し、非接触カード１１ａの識別情報を受け取る。
【００６４】
非接触カード１１ｂの第２の受光素子１１０ｂは、非接触カード１１ａの第１の発光素子１０７ａから受けた光信号を電気信号に変換して制御回路１０６ｂに送る。
非接触カード１１ｂの制御回路１０６ｂは、第２の受光素子１１０ｂが受信した光信号が識別情報の読み出しを要求する信号であることから、第２の発光素子１０８ｂに光信号を出力させて、メモリ１０５ｂが記録する識別情報を非接触カード１１ａの第１の受光素子１０９ａに送る。この識別情報は、非接触カード１１ｂに固有のＩＤコードの他、非接触カード１１ｂのトラック数や記録データ量等の記録内容を示すインデックス情報を含んでいる。
【００６５】
ここで、非接触カード１１ｂの制御回路１０６ｂは、第１の発光素子１０７ｂを制御して、識別情報の読み出しを要求する光信号を送信させる。しかし、図９に示すように、非接触カード１１ｂの上側には他の非接触カード１１が存在せず、第１の受光素子１０９ｂは、識別情報の読み出しを要求する信号に応答する光信号を受信しない。
このため、非接触カード１１ｂの制御回路１０６ｂは、非接触カード１１ｂの識別情報を送信した後、識別情報の読み出しが終了した旨を示す光信号を第２の発光素子１０８ｂから出力させる。これにより、読書装置１２に識別データの読み出しが終了したことを通知し、ディジタルデータの読み書きが可能となったことを通知する。
【００６６】
非接触カード１１ａの第１の受光素子１０９ａは、非接触カード１１ｂの第２の発光素子１０８ｂから受けた光信号を電気信号に変換して制御回路１０６ａに送る。
非接触カード１１ａの制御回路１０６ａは、第１の受光素子１０９ａが受信した光信号が非接触カード１１ｂの識別情報を示すものであることから、第２の発光素子１０８ａに光信号を出力させて、読書装置１２の受光素子１２２に非接触カード１１ｂの識別情報を送る。
【００６７】
読書装置１２は、制御回路１２０が受光素子１２２にて受光した光信号を検出し、非接触カード１１ｂの識別情報を受け取る。
【００６８】
これにより、制御回路１２０は、非接触カード１１ａ，１１ｂの識別情報を取得し、非接触カード１１ａ，１１ｂを指定してディジタルデータの読み書きを指示することが可能となる。制御回路１２０は、表示器１２４に非接触カード１１ａ，１１ｂのトラック数や記録データ量等のインデックス情報を表示させる。
【００６９】
この後、ユーザは、操作キー１２３又はリモコンＲＣを操作して、非接触カード１１ａ，１１ｂに対するディジタルデータの読み書きを指示する。
制御回路１２０は、操作キー１２３又はリモコン受光素子１２５からの信号に応じて、非接触カード１１ａ，１１ｂに対するデータの読み書きを開始する。
【００７０】
例えば、ユーザが、非接触カード１１ｂにディジタルデータの書き込みを指示すると、制御回路１２０は、非接触カード１１ａ，１１ｂから受けた識別情報に示された各非接触カード１１ａ，１１ｂのＩＤコードにより、データを書き込む非接触カード１１ｂを特定する。
【００７１】
制御回路１２０は、非接触カード１１ｂにデータを書き込むため、発光素子１２１を制御して光信号を送信させ、非接触カード１１ａの第２の受光素子１１０ａに、図１０に示すような制御データブロックＣＢを送る。
図１０に示すように、制御データブロックＣＢは、非接触カード１１ｂのＩＤコードを示すＩＤデータフレームＤＦ１と、非接触カード１１ｂへのデータの書き込み要求を示す要求データフレームＤＦ２と、データの書き込み位置（メモリ１０５ｂのアドレス番号、トラック番号等）を示す位置データフレームＤＦ３とを備える。
【００７２】
非接触カード１１ａの第２の受光素子１１０ａは、発光素子１２１から光信号を受信して電気信号に変換し、制御回路１０６ａに送る。
制御回路１０６ａは、第２の受光素子１１０ａが受けた光信号により伝送された制御データブロックＣＢを受け取り、ＩＤデータフレームＤＦ１が非接触カード１１ｂのＩＤコードを示すことを読み取る。制御回路１０６ａは、ＩＤデータフレームＤＦ１が非接触カード１１ｂのＩＤコードを示すことから、データ復調器１０３ａに復調をさせることなく、第１の発光素子１０７ａを制御して、制御データブロックＣＢを伝送するための光信号を送信させる。
第１の発光素子１０７ａは、制御回路１０６ａから受けた電気信号を光信号に変換して、非接触カード１１ｂの第２の受光素子１１０ｂに送信する。
【００７３】
非接触カード１１ｂの第２の受光素子１１０ｂは、第１の発光素子１０７ａから光信号を受信して電気信号に変換し、制御回路１０６ｂに送る。
制御回路１０６ｂは、第２の受光素子１１０ｂが受けた光信号により伝送された制御データブロックＣＢを受け取り、ＩＤデータフレームＤＦ１が非接触カード１１ｂのＩＤコードを示すことを読み取る。制御回路１０６ｂは、ＩＤデータフレームＤＦ１が非接触カード１１ｂのＩＤコードを示すことから、要求データフレームＤＦ２を読み取り、書き込み要求であるか読み出し要求であるかを判別する。
【００７４】
制御回路１０６ｂは、要求データフレームＤＦ２が書き込み要求を示していることから、位置データフレームＤＦ３が示す記録位置（トラック番号、アドレス番号等）を読み取り、メモリ１０５ｂの該当する記録位置が書き込み可能か否かを判別する。そして、制御回路１０６ｂは、第２の発光素子１０８ｂを制御して光信号を送信させ、メモリ１０５ｂへのディジタルデータの書き込みが可能か否かを示す応答データを非接触カード１１ａの第１の受光素子１０９ａへ伝送させる。
【００７５】
非接触カード１１ａの制御回路１０６ａは、第２の発光素子１０８ａを制御して、第１の受光素子１０９ａが受信した光信号と同様の光信号を読書装置１２の受光素子１２２へ送信させる。
【００７６】
読書装置１２の制御回路１２０は、受光素子１２２が受信した光信号により伝送された応答データを読み取り、非接触カード１１ｂへのディジタルデータの書き込みが可能か否かを判別する。
【００７７】
制御回路１２０は、応答データが非接触カード１１ｂへのディジタルデータの書き込みが不可能であることを示すものであると判別すると、表示器１２４に「書き込み禁止です」等のメッセージを表示させて、ユーザに警告する。
【００７８】
一方、制御回路１２０は、応答データが非接触カード１１ｂへのディジタルデータの書き込みが可能であることを示すものであると判別すると、エンコーダ１１８を制御して、非接触カード１１ｂに書き込むディジタルデータを作成させる。
【００７９】
この際、エンコーダ１１８は、非接触カード１１ｂに書き込むディジタルデータを作成するため、ディジタル入力端子Ｄｉ又はアナログ入力端子Ａｉを介して、信号処理装置１０から送られる信号を取り込む。
ここで、アナログ入力端子Ａｉから取り込んだアナログ信号は、ＡＤＣ１１７によりサンプリングされてディジタル信号に変換された後、エンコーダ１１８に送られる。
【００８０】
エンコーダ１１８は、ディジタルデータの圧縮、符号化等の処理を実行して、書き込み用のディジタルデータを作成し、作成したディジタルデータをデータ変調器１１９に送る。データ変調器１１９は、エンコーダ１１８から受けたディジタルデータに応じて搬送波を変調して被変調搬送波を生成し、パルス発生器１１２の出力電圧に重畳してアンテナコイル１１１に供給することにより、ディジタルデータを伝送させる。
【００８１】
制御回路１２０は、エンコーダ１１８がアンテナコイル１１１に被変調搬送波の供給を開始する直前に、書き込み用のディジタルデータの送信が開始されることを示す信号を挿入してアンテナコイル１１１に供給する。
【００８２】
アンテナコイル１１１は、パルス発生器１１２及びデータ変調器１１９から受けた電圧に応じた磁界を発生して、非接触カード１１ｂに被変調搬送波を送信し、ディジタルデータを伝送する。
【００８３】
非接触カード１１ｂの制御回路１０６ｂは、データ復調器１０３ｂを制御して、アンテナコイル１０１ｂが受信した被変調搬送波からディジタルデータを復調させ、送信が開始されることを示す信号を検出して、メモリ１０５ｂへの書き込みを開始する。
【００８４】
この後、読書装置１２と非接触カード１１ｂは、アンテナコイル１１１とアンテナコイル１０１ｂとの間で被変調搬送波を送受信することでディジタルデータを伝送して、メモリ１０５ｂへの書き込みを行う。
この際、制御回路１０６ｂは、第２の発光素子１０８ｂに書き込みの完了を示す応答データを伝送する光信号を適宜送信させ、メモリ１０５ｂへのディジタルデータの書き込み状況を、非接触カード１１ａを介して読書装置１２に通知するとよい。
これにより、読書装置１２の制御回路１２０は、多量のディジタルデータが障害無く非接触カード１１ｂに伝送されているか否かを判別することができ、多量のデータを適切に書き込むことができる。
【００８５】
読書装置１２の制御回路１２０は、非接触カード１１ｂへのディジタルデータの伝送が終了すると、書き込みの終了を示す信号をアンテナコイル１１１に供給する。
【００８６】
非接触カード１１ｂの制御回路１０６ｂは、アンテナコイル１０１ｂが書き込みの終了を示す信号を受信したことを検出することで、メモリ１０５ｂへのディジタルデータの書き込みを終了する。
【００８７】
このように、この非接触カード読書システムは、読書装置１２と非接触カード１１との電磁結合によりディジタルデータを伝送するほかに光信号を送受信して、非接触カード１１の読み書き動作を制御することができる。これにより、読書装置１２と非接触カード１１との電磁結合により伝送するデータは、実質的に読み書きに係るディジタルデータのみとなるので、多量のデータを容易に伝送して非接触カード１１に対して読み書きすることができる。
また、読書装置１２は、光信号により非接触カード１１の識別情報を取得し、データの読み書きを行う非接触カード１１を特定する制御データブロックＣＢを光信号により非接触カード１１に伝送することができる。これにより、読書装置１２は、複数の非接触カード１１を並列収納して容易にデータの読み書きを実行することができる。
【００８８】
ここで、複数の非接触カード１１に同一のディジタルデータを書き込む場合には、読書装置１２の制御回路１２０は、非接触カード１１から識別情報を受けた後、図１１に例示するように、制御データブロックＣＢ１，ＣＢ２を連続的に伝送する光信号を発光素子１２１に送信させればよい。
【００８９】
例えば、図９に示す非接触カード１１ａ，１１ｂに同一のディジタルデータを書き込む場合、ＩＤデータフレームＤＦ１１は非接触カード１１ａのＩＤコードを示し、ＩＤデータフレームＤＦ２１は非接触カード１１ｂのＩＤコードを示す。また、要求データフレームＤＦ１２，ＤＦ２２は、共に書き込み要求を示し、位置データフレームＤＦ１３，ＤＦ２３は、それぞれ非接触カード１１ａ，１１ｂの記録内容に応じた記録位置（トラック番号、アドレス番号等）を示す。
【００９０】
制御回路１２０は、発光素子１２１を制御して、このような制御データブロックＣＢ１，ＣＢ２を伝送する光信号を送信し、非接触カード１１ａ，１１ｂから書き込みが可能であるか否かを示す応答データを受信する。
制御回路１２０は、書き込みが可能であることを示す応答データを受信すると、上記非接触カード１１ｂに書き込みを行った場合と同様にしてディジタルデータを伝送することで、非接触カード１１ａ，１１ｂに同一のディジタルデータを書き込むことができる。
【００９１】
また、この非接触カード読書システムは、複数の非接触カード１１の間でディジタルデータを送受信して読み書きすることもできる。
以下に、具体例として、図９に示す非接触カード１１ｂが記録するディジタルデータを非接触カード１１ａにコピーすると共に、信号処理装置１０にサービス・コンテンツを再生させる際の動作を説明する。
【００９２】
この場合、制御回路１２０は、非接触カード１１ａ，１１ｂの識別情報を受けた後、発光素子１２１を制御して、図１１に例示するような制御データブロックＣＢ１，ＣＢ２を伝送する光信号を送信させる。
【００９３】
ここで、制御データブロックＣＢ１が備えるＩＤデータフレームＤＦ１１は非接触カード１１ａのＩＤコードを示し、制御データブロックＣＢ２が備えるＩＤデータフレームＤＦ２１は非接触カード１１ｂのＩＤコードを示す。また、要求データフレームＤＦ１２は書き込み要求を示し、要求データフレームＤＦ２２は読み出し要求を示す。さらに、位置データフレームＤＦ１３，ＤＦ２３は、それぞれ非接触カード１１ａ，１１ｂの記録内容に応じた記録位置（トラック番号、アドレス番号等）を示す。
これにより、読書装置１２は、非接触カード１１ｂに対しては、メモリ１０５ｂが記録するディジタルデータの読み出しを指示し、非接触カード１１ａに対しては、非接触カード１１ｂから読み出したディジタルデータをメモリ１０５ａに書き込むよう指示することができる。
【００９４】
このような制御データブロックＣＢ１，ＣＢ２を光信号により非接触カード１１ａ，１１ｂに伝送した後、読書装置１２の制御回路１２０は、アンテナコイル１１１より、読み書き動作の開始を指示する信号を送信させる。
【００９５】
非接触カード１１ｂの制御回路１０６ｂは、データ復調器１０３ｂにアンテナコイル１０１ｂが受信した被変調搬送波からディジタルデータを復調させ、読み書き動作の開始を指示する信号を検出して、メモリ１０５ｂからディジタルデータの読み出しを開始し、データ変調器１０４ｂに送る。
【００９６】
データ変調器１０４ｂは、制御回路１０６ｂから受けたディジタルデータにより搬送波を変調して被変調搬送波を生成し、生成した被変調搬送波をアンテナコイル１０１ｂに供給して非接触カード１１ａ及び読書装置１２へ送信させることにより、ディジタルデータを伝送させる。
【００９７】
非接触カード１１ｂの制御回路１０６ｂは、データ復調器１０３ｂを制御して、アンテナコイル１０１ｂが受信した被変調搬送波からディジタルデータを復調させ、読み書き動作の開始を指示する信号を検出して、メモリ１０５ａへの書き込みを開始する。
【００９８】
また、読書装置１２の制御回路１２０は、アンテナコイル１１１に読み書き動作の開始を指示する信号を送信させると共に、デコーダ１１５を制御して、信号処理装置１０が再生するサービス・コンテンツを伝送する信号の作成を開始させる。
【００９９】
デコーダ１１５は、制御回路１２０からの指示により、データ復調器１１４にアンテナコイル１１１が受信する被変調搬送波からディジタルデータを復調させる。
【０１００】
デコーダ１１５は、データ復調器１１４が復調したディジタルデータを受け取って、復号、解凍等の処理を実行して、ディジタル出力端子Ｄｏからディジタルデータを信号処理装置１０へ出力し、又は、ＤＡＣ１１６にてディジタルデータをアナログ信号に変換した後、アナログ出力端子Ａｏから信号処理装置１０へ出力する。
これにより、信号処理装置１０は、読書装置１２から受けたディジタルデータ又はアナログ信号に従って、非接触カード１１ｂが記録するサービス・コンテンツである映像・音声等を再生することができる。
【０１０１】
非接触カード１１ｂの制御回路１０６ｂは、メモリ１０５ｂからのディジタルデータの読み出しが終了すると、データ変調器１０４ｂを制御して、データの読み出しが終了した旨の信号を伝送する被変調搬送波を生成させる。
データ変調器１０４ｂは、生成した被変調搬送波をアンテナコイル１０１ｂに供給して読書装置１２のアンテナコイル１１１に送信する。
【０１０２】
読書装置１２の制御回路１２０は、アンテナコイル１１１からデータの読み出しが終了した旨の信号を受けると、アンテナコイル１１１により、データの書き込みを終了する旨の信号を送信させる。
【０１０３】
非接触カード１１ｂの制御回路１０６ｂは、データ復調器１０３ｂを制御して、アンテナコイル１０１ｂが受信した被変調搬送波からディジタルデータを復調させ、書き込みを終了する旨の信号を検出して、メモリ１０５ａへの書き込みを終了する。
【０１０４】
以上説明したように、この非接触カード読書システムは、読書装置１２と非接触カード１１との電磁結合によりディジタルデータを送受信する際、光信号により複数の非接触カード１１の動作を制御する制御情報を伝送し、読み書きを実行する非接触カード１１を指定してディジタルデータの読み書きを実行することができる。また、発光素子１０７，１０８及び受光素子１０９，１１０は、複数の非接触カード１１を積畳した際に、光信号を送受信できる位置に配置されている。
これにより、複数の非接触カード１１に対して容易にデータを読み書きすることができる。すなわち、非接触カード１１の取扱が簡単となる。また、非接触カード１１に対して多量のデータを容易に読み書きすることができる。
【０１０５】
さらに、非接触カード１１同士の間、及び非接触カード１１と読書装置１２との間は非接触でデータをやりとりするので、接触式のコネクタを用いた場合のような接点の経年変化による故障が発生することがない。
【０１０６】
この発明は、上記実施の形態に限定されず、様々な変形及び応用が可能である。
例えば、上記実施の形態では、２枚の非接触カード１１ａ，１１ｂに対してディジタルデータの読み書きを行うものとして説明したが、より多くの非接触カード１１に対してディジタルデータを読み書きすることもできる。
この場合には、読書装置１２の制御回路１２０が、複数の非接触カード１１から識別情報を受け、各非接触カード１１に応じた制御データブロックＣＢを作成して発光素子１２１が送信する光信号により伝送し、各非接触カード１１の動作を規定することで、より多くの非接触カード１１に対してディジタルデータを読み書きすることができる。
【０１０７】
また、上記実施の形態では、読書装置１２の制御回路１２０が、読み書き動作の開始を指示するデータをアンテナコイル１１１から非接触カード１１に伝送するものとして説明が、これに限定されず、発光素子１２１が送信する光信号により非接触カード１１に伝送するようにしてもよい。
【０１０８】
さらに、非接触カード１１の発光素子１０７，１０８及び受光素子１０９，１１０の設置位置は、非接触カード１１を積畳した際に、隣接する非接触カード１１との間で光信号を送受信することができる任意の位置でよい。
【０１０９】
また、発光素子１０７，１０８及び１２１は光信号を送信するものとして説明したが、赤外線信号等といった電磁波信号を送信するようにしてもよい。
【０１１０】
【発明の効果】
以上の説明のように、この発明によれば、読書装置と非接触カードとの間の電磁結合によりデータを伝送するほか、光信号を送受信して非接触カードの読み書き動作を制御する制御情報等を伝送することができる。これにより、多量のディジタルデータを容易に読み書きすることができる。
また、非接触カードにおいて光信号を送受信する部位は、複数の非接触カードを積畳した際に、隣接する非接触カードとの間で光信号を送受信できる位置に配置され、光信号により非接触カードの読み書き動作を制御しつつ電磁結合によりディジタルデータを伝送して読み書きを実行する。これにより、複数の非接触カードに対するディジタルデータの読み書きを容易に行うことができる。
【図面の簡単な説明】
【図１】この発明の実施の形態に係る非接触カード読書システムの構成を示す図である。
【図２】この発明の実施の形態に係る非接触カードの構成を示す図である。
【図３】この発明の実施の形態に係る非接触カードの各部位の配置を示す図である。
【図４】この発明の実施の形態に係る非接触カードの断面を示す図である。
【図５】図１の非接触カード読書システムにおける読書装置の構成を示す図である。
【図６】カード保持器の一例を示す図である。
【図７】カード保持器の一例を示す図である。
【図８】ホルダーを例示する図である。
【図９】この発明の実施の形態に係る非接触カード読書システムの動作を説明するための具体例を示す図である。
【図１０】制御データブロックの構成の一例を示す図である。
【図１１】制御データブロックの構成の一例を示す図である。
【符号の説明】
１０    信号処理装置
１１    非接触カード
１２    読書装置
１０１，１０１ａ，１０１ｂ，１１１    アンテナコイル
１０２，１０２ａ，１０２ｂ    電源回路
１０３，１０３ａ，１０３ｂ，１１４    データ復調器
１０４，１０４ａ，１０４ｂ，１１９    データ変調器
１０５，１０５ａ，１０５ｂ    メモリ
１０６，１０６ａ，１０６ｂ，１２０    制御回路
１０７，１０７ａ，１０７ｂ，
１０８，１０８ａ，１０８ｂ，１２１    発光素子
１０９，１０９ａ，１０９ｂ，
１１０，１１０ａ，１１０ｂ，１２２    受光素子
１１２    パルス発生器
１１３    電力供給回路
１１５    デコーダ
１１６    ＤＡＣ
１１７    ＡＤＣ
１１８    エンコーダ
１２３    操作キー
１２４    表示器
１２５    リモコン受光素子
ＲＣ    リモコン
Ａｉ    アナログ入力端子
Ａｏ    アナログ出力端子
Ｄｉ    ディジタル入力端子
Ｄｏ    ディジタル出力端子
ＨＯ    ホルダー
ＴＲ    トレイ
ＳＬ    スロット
【図１】
0003584391.tif 000002
【図２】
0003584391.tif 000003
【図３】
0003584391.tif 000004
【図４】
0003584391.tif 000005
【図５】
0003584391.tif 000006
【図６】
0003584391.tif 000007
【図７】
0003584391.tif 000008
【図８】
0003584391.tif 000009
【図９】
0003584391.tif 000010
【図１０】
0003584391.tif 000011
【図１１】
0003584391.tif 000012